(57)【要約】【課題】１２セグメント放送と１セグメント放送とに兼用できるデジタル放送受信装置を提供する。【解決手段】デジタル放送受信装置１は、接続相手の電子機器２の表示能力が高ければ、その電子機器２に対して一の放送信号（１２セグメント放送信号）を選択して出力し、表示能力が低ければ他の放送信号（１セグメント放送信号）を選択して出力する選択手段（ＳＷ部１４）を備える。１台のデジタル放送受信装置１で二つの放送（一の放送と他の放送）に兼用できる。【選択図】  図２
2005020340.tif 000002
【特許請求の範囲】
【請求項１】
表示装置を有する任意の電子機器に接続して用いられるデジタル放送受信装置であって、
受信チャンネルに含まれる一の放送信号を受信して再生する第１の受信再生手段と、
前記受信チャンネルに含まれる他の放送信号を受信して再生する第２の受信再生手段と、
前記表示装置の表示能力が高い場合に前記第１の受信再生手段の出力を選択して前記電子機器に出力する一方、前記表示装置の表示能力が低い場合に前記第２の受信再生手段の出力を選択して前記電子機器に出力する選択手段と
を備えたことを特徴とするデジタル放送受信装置。
【請求項２】
前記一の放送信号は地上波デジタル放送の１２セグメント放送信号であり、前記他の放送信号は地上波デジタル放送の１セグメント放送信号であることを特徴とする請求項１記載のデジタル放送受信装置。
【請求項３】
前記第１及び第２の受信再生手段は、二次復調までの機能を有することを特徴とする請求項１記載のデジタル放送受信装置。
【請求項４】
前記第１及び第２の受信再生手段は、二次復調に加えてデータ伸張のためのデコード機能までを有することを特徴とする請求項１記載のデジタル放送受信装置。
【請求項５】
表示装置を有する任意の電子機器に接続して用いられるデジタル放送受信装置の制御方法であって、
受信チャンネルに含まれる一の放送信号を受信して再生する第１の受信再生工程と、
前記受信チャンネルに含まれる他の放送信号を受信して再生する第２の受信再生工程と、
前記表示装置の表示能力が高い場合に前記第１の受信再生工程の出力を選択して前記電子機器に出力する一方、前記表示装置の表示能力が低い場合に前記第２の受信再生工程の出力を選択して前記電子機器に出力する選択工程と
を含むことを特徴とするデジタル放送受信制御方法。
【請求項６】
前記一の放送信号は地上波デジタル放送の１２セグメント放送信号であり、前記他の放送信号は地上波デジタル放送の１セグメント放送信号であることを特徴とする請求項５記載のデジタル放送受信制御方法。
【請求項７】
前記第１及び第２の受信再生工程は、二次復調までの機能を含むことを特徴とする請求項５記載のデジタル放送受信制御方法。
【請求項８】
前記第１及び第２の受信再生工程は、二次復調に加えてデータ伸張のためのデコード機能までを含むことを特徴とする請求項５記載のデジタル放送受信制御方法。
【発明の詳細な説明】
【０００１】
【発明の属する技術分野】
本発明は、デジタル放送受信装置及びデジタル放送受信制御方法に関し、詳しくは、「１２セグメント放送」と「１セグメント放送」とを選択的に受信できるデジタル放送受信装置及びデジタル放送受信制御方法に関する。
【０００２】
【従来の技術】
ＩＳＤＢ−Ｔ（Ｉｎｔｅｇｒａｔｉｏｎ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）方式は、１９９９年に策定された我が国における地上波デジタル放送の技術基準である。ＩＳＤＢ−Ｔ方式の最大の特徴は、一つの放送チャンネルを多重構造としたことにある（たとえば、非特許文献１、非特許文献２参照）。すなわち、ＩＳＤＢ−Ｔ方式では、１事業者に割り当てられる約５．７５ＭＨｚの周波数帯域（チャンネル）内に、「セグメント」と呼ばれる伝送単位（帯域幅約４２９ＫＨｚ）を１３個多重化する。
【０００３】
事業者は、セグメントを組み合わせて、家庭向けの放送（ハイビジョン放送や標準放送）と、モバイル受信端末（携帯電話機やＰＤＡ（Ｐｅｒｓｏｎａｌ  Ｄｉｇｉｔａｌ  Ａｓｓｉｓｔａｎｃｅ）あるいはカーナビ等）向けの放送とをサイマルキャストする。サイマルキャスト（ＳＩＭＵＬＣＡＳＴ：ＳｉｍｕｌｔａｎｅｏｕｓとＢｒｏａｄｃａｓｔの合成語）とは“同時同内容”の放送のことをいう。または、サイマル放送ともいう。
【０００４】
図７は、地上波デジタル放送のサービス例とその受信概念図である。地上波デジタル放送の送信アンテナから送出された任意チャンネルの地上波テレビジョン放送信号には、１３個のセグメントが含まれている。Ｔ１〜Ｔ１３は便宜的に付したセグメント番号である。事業者はこれらのセグメントを組み合わせて異なる受信端末向けのサイマル放送を行うが、ＩＳＤＢ−Ｔ方式では、当面、１２セグメント（Ｔ１〜Ｔ６及びＴ８〜Ｔ１３）で家庭向けの放送を行い、残りの１セグメント（Ｔ７）でモバイル受信端末向けの放送（いわゆる簡易動画放送）を行うものとされている。簡易動画放送とは、元画像（家庭向け放送画像）のフレーム数とフレームサイズを小さくして所要伝送レートを抑えたものである。
【０００５】
ここで、一般的に、家庭向けの放送のことを「１２セグメント放送」といい、モバイル受信端末向けの放送のことを「１セグメント放送」という。本明細書においてもこの呼び方に倣うことにする。ただし、ＩＳＤＢ−Ｔ方式では、さらに、９セグメントのハイビジョン放送と３セグメントの標準放送と１セグメントの簡易動画放送とをサイマルキャストする仕様も定められているため、本明細書における上記呼称（１２セグメント放送／１セグメント放送）はこのような仕様も包含することにする。つまり、本明細書で言うところの「１２セグメント放送」は、１２個のセグメントを用いた放送の他に、９セグメントのハイビジョン放送や３セグメントの標準放送の意味も含むことにする。
【０００６】
上記のとおり、ＩＳＤＢ−Ｔ方式では、当面、１２セグメント放送と１セグメント放送とをサイマルキャストするので、視聴者は、その時々の状況に応じて、固定受信端末を用いてハイビジョン放送や標準放送を受信したり、または、モバイル受信端末を用いて簡易動画放送を受信したりすることができ、同一内容の放送を臨機応変に楽しむことができる。
【０００７】
【非特許文献１】
「ディジタル放送教科書（下）」株式会社ＩＤＧジャパン、２００３年２月１日初版発行、４８頁−５０頁
【非特許文献２】
Ｄａｉｓｕｋｅ  Ｋｉｋｕｃｈｉ「ＴＶ  ｏｎ  モバイル」モバイル・マルチメディア・ラボ（ｍｏｂｉｌｅ  ｍｕｌｔｉｍｅｄｉａ  ｌａｂ）、２００２年、［ｏｎｌｉｎｅ］、［平成１５年６月１日検索］、インターネット＜ＵＲＬ：ｈｔｔｐ：／／ｗｗｗ．ｈａｎｌａｂ．ｅｅ．ｋａｇｕ．ｓｕｔ．ａｃ．ｊｐ／￣ｋｉｋｕｃｈｉ／ｔｖｏｎｍｏｂｉｌｅ１．ｈｔｍ＞
【０００８】
【発明が解決しようとする課題】
ところで、ＰＤＡや携帯電話機等のモバイル受信端末を用いて地上波デジタル放送を楽しむ場合、当然ながら、それらの受信端末は、地上波デジタル放送受信機として機能するものでなければならない。つまり、地上波デジタル放送用の受信部や復調部及びデコード部などを備えていなければならないが、それらの各部をＰＤＡや携帯電話機等に組み込むことは、新たに端末を作り直すことを意味すし、さらに、ユーザは新たに作られた端末を購入しなければならないため、既存の端末（ＰＤＡや携帯電話機等）の有効利用を図ることができない。
【０００９】
そこで、ＰＤＡや携帯電話機等の多くは、たとえば、ＰＣカードスロットやＣＦカードスロットあるいはＳＤカードスロットなどの汎用スロットを備えていることに着目し、それらのスロットに装着して使用可能な地上波デジタル放送受信カードを提供することにより、既存の端末（ＰＤＡや携帯電話機等）の有効利用を図ることができると考えられる。
【００１０】
しかしながら、地上波デジタル放送における１２セグメント放送と１セグメント放送の変調方式（とりわけ二次変調方式）の違い・・・・１２セグメント放送は１３ＱＡＭ方式、１セグメント放送はＱＰＳＫ方式である。・・・・により、１２セグメント放送用と１セグメント放送用の二種類の地上波デジタル放送受信カードを提供しなければならず、製造コストがかさむうえ、ユーザは、それらの二種類のカードを所持しなければならないという問題点がある。
【００１１】
したがって、本発明が解決しようとする課題は、１２セグメント放送と１セグメント放送とに兼用できるデジタル放送受信装置及びデジタル放送受信制御方法を提供することにある。
【００１２】
【課題を解決するための手段】
本発明に係るデジタル放送受信装置は、表示装置を有する任意の電子機器に接続して用いられるデジタル放送受信装置であって、受信チャンネルに含まれる一の放送信号を受信して再生する第１の受信再生手段と、前記受信チャンネルに含まれる他の放送信号を受信して再生する第２の受信再生手段と、前記表示装置の表示能力が高い場合に前記第１の受信再生手段の出力を選択して前記電子機器に出力する一方、前記表示装置の表示能力が低い場合に前記第２の受信再生手段の出力を選択して前記電子機器に出力する選択手段とを備えたことを特徴とする。この発明では、接続相手の電子機器の表示能力が高ければ、その電子機器に対して一の放送信号を選択して出力し、表示能力が低ければ他の放送信号を選択して出力する。したがって、１台のデジタル放送受信装置で二つの放送（一の放送と他の放送）に兼用することができる。
本発明に係るデジタル放送受信装置の好ましい態様は、前記一の放送信号は地上波デジタル放送の１２セグメント放送信号であり、前記他の放送信号は地上波デジタル放送の１セグメント放送信号であることを特徴とする。この態様では、地上波デジタル放送の家庭向け放送（１２セグメント放送）とモバイル端末向け放送（１セグメント放送）とに兼用できるデジタル放送受信装置を提供できる。本発明に係るデジタル放送受信装置の好ましい態様は、前記第１及び第２の受信再生手段は、二次復調までの機能を有することを特徴とする。この態様では、電子機器として、たとえば、ＭＰＥＧ等のデコード機能を有するパソコンやＰＤＡなどを使用することができ、デジタル放送受信装置に当該デコード機能を実装する必要がないので、デジタル放送受信装置の小型化、低コスト化を図ることができる。
本発明に係るデジタル放送受信装置の好ましい態様は、前記第１及び第２の受信再生手段は、二次復調に加えてデータ伸張のためのデコード機能までを有することを特徴とする。この態様では、デジタル放送受信装置にデコード機能までを実装するので、接続相手の電子機器の範囲を拡大でき、デジタル放送受信装置の汎用性を高めることができる。
本発明に係るデジタル放送受信制御方法は、表示装置を有する任意の電子機器に接続して用いられるデジタル放送受信装置の制御方法であって、受信チャンネルに含まれる一の放送信号を受信して再生する第１の受信再生工程と、前記受信チャンネルに含まれる他の放送信号を受信して再生する第２の受信再生工程と、前記表示装置の表示能力が高い場合に前記第１の受信再生工程の出力を選択して前記電子機器に出力する一方、前記表示装置の表示能力が低い場合に前記第２の受信再生工程の出力を選択して前記電子機器に出力する選択工程とを含むことを特徴とする。この発明では、接続相手の電子機器の表示能力が高ければ、その電子機器に対して一の放送信号を選択して出力し、表示能力が低ければ他の放送信号を選択して出力する。したがって、１台のデジタル放送受信装置で二つの放送（一の放送と他の放送）に兼用することができる。
本発明に係るデジタル放送受信制御方法の好ましい態様は、前記一の放送信号は地上波デジタル放送の１２セグメント放送信号であり、前記他の放送信号は地上波デジタル放送の１セグメント放送信号であることを特徴とする。この態様では、地上波デジタル放送の家庭向け放送（１２セグメント放送）とモバイル端末向け放送（１セグメント放送）とに兼用できるデジタル放送受信装置を提供できる。
本発明に係るデジタル放送受信制御方法の好ましい態様は、前記第１及び第２の受信再生工程は、二次復調までの機能を含むことを特徴とする。この態様では、電子機器として、たとえば、ＭＰＥＧ等のデコード機能を有するパソコンやＰＤＡなどを使用することができ、デジタル放送受信装置に当該デコード機能を実装する必要がないので、デジタル放送受信装置の小型化、低コスト化を図ることができる。
本発明に係るデジタル放送受信制御方法の好ましい態様は、前記第１及び第２の受信再生工程は、二次復調に加えてデータ伸張のためのデコード機能までを含むことを特徴とする。この態様では、デジタル放送受信装置にデコード機能までを実装するので、接続相手の電子機器の範囲を拡大でき、デジタル放送受信装置の汎用性を高めることができる。
【００１３】
【発明の実施の形態】
以下、本発明の実施の形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１４】
図１は、実施の形態のデジタル放送受信装置の外観図である。この図において、デジタル放送受信装置１は汎用カードタイプのものである。ここでは、特に限定しないが、ＳＤカードタイプのものとする。ＳＤカードとは、元々はメモリカードのための汎用規格である。カード本体の大きさは縦３２ｍｍ×横２４ｍｍ×厚さ２．１ｍｍであり、カードの一方側短辺に並んだ９本のピン端子（図中の１ａ参照）を介して情報をやり取りする。ＳＤカード対応の電子機器２にはカードスロット３が設けられている。ユーザは、必要に応じてメモリカードやデジタル放送受信装置１などの各種ＳＤカードを当該カードスロット３に挿入して使用する。
【００１５】
ここで、電子機器２は、テレビ放送映像を表示可能な液晶ディスプレイパネル等の表示デバイスを備えていなければならない。加えて、この電子機器２は、カードスロット３に挿入されたＳＤカードの種類を自動判別して当該ＳＤカードを使用可能にする、いわゆるプラグアンドプレイ機能（以下「ＰｎＰ」という。）を備えていなければならない。
【００１６】
すなわち、この電子機器２は、カードスロット３に挿入されたデジタル放送受信装置１と一体となって、地上波デジタルテレビジョン放送（１２セグメント放送または１セグメント放送）の受信設備として機能するものでなければならない。この点において、多くのＰＤＡは、たとえば、２４０×３２０ドットないしはそれ以上の解像度で且つフルカラー表示が可能な小型の液晶パネルを備え、しかも、それらのＰＤＡはＰｎＰ対応の基本プログラムを標準で実装しているから、電子機器２の一の具体例として相応しい。また、ノート型パソコンやカーナビ等は、一般的に上記のＰＤＡよりも高解像度の表示デバイスを備えており、さらに、その多くはカードスロットやＰｎＰ対応の基本プログラムも実装しているから、電子機器２の他の具体例として相応しい。
【００１７】
これら二つの具体例の相違点はその表示能力にある。すなわち、ＰＤＡは低解像度であり、パソコンやカーナビ等は高解像度である。したがって、これらの解像度の違いと前述の地上波デジタル放送の放送パターン（１２セグメント放送／１セグメント放送）とを対比すると、低解像度のもの（ＰＤＡ等＝電子機器２）は１セグメント対応、高解像度のもの（パソコンやカーナビ等＝電子機器２）は１２セグメント対応ということができる。
【００１８】
図２は、デジタル放送受信装置１のブロック図である。この図において、デジタル放送受信装置１は、アンテナ１０、受信部１１、直交復調部１２、高速フーリエ変換（ＦＦＴ）部１３、スイッチ（ＳＷ）部１４、１６ＱＡＭデコード部１５、ＱＰＳＫデコード部１６、入出力部１７、検出部１８及び制御部１９などを含む。電源は、接続相手の電子機器２から供給される。
【００１９】
受信部１１は、アンテナ１０と共に、ＩＳＤＢ−Ｔ方式の地上波デジタルテレビ放送信号を受信するための同調回路（チューナ）を構成する。この受信部１１は、地上波デジタルテレビ放送信号の全て（ｎ個：ｎはＵＨＦの１３チャンネルから６２チャンネルまでの５０個）の受信チャンネルごとの同調回路を備える。
【００２０】
直交復調部１２は、受信部１１で取り出された任意の受信チャンネルをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）に対応した方式で一次復調し、ＦＦＴ部は復調後の受信チャンネルから１３個のセグメントを抽出する。冒頭でも説明したとおり、我が国における地上波デジタルテレビ放送は、当面、「１２セグメント放送」と「１セグメント放送」とをサイマルキャストするものと考えられており、この場合の１２セグメント放送は中央の７番目のセグメント（図７のＴ７参照）を除く１２個のセグメント（図７のＴ１〜Ｔ６及びＴ８〜Ｔ１３参照）を使用し、１セグメント放送は７番目のセグメントを使用するから、ＦＦＴ部１３はＴ１〜Ｔ６及びＴ８〜Ｔ１３のセグメントとＴ７のセグメントとを各々選択可能にＳＷ部１４に出力する。
【００２１】
ＳＷ部１４は、ＦＦＴ部１３と１６ＱＡＭデコード部１５及びＱＰＳＫデコード部１６との間に位置し、制御部１９からの制御に従ってＦＦＴ部１３の出力先の切り替え操作を行う。すなわち、ＳＷ部１４は、制御部１９からの切り換え指示信号ＳＥＬが「１２セグメント放送」を示しているとき、ＦＦＴ部１３の出力（Ｔ１〜Ｔ６及びＴ８〜Ｔ１３）を１６ＱＡＭデコード部１５に伝える一方、制御部１９からの切り換え指示信号ＳＥＬが「１セグメント放送」を示しているとき、ＦＦＴ部１３の出力（Ｔ７）をＱＰＳＫデコード部１６に伝えるように動作する。
【００２２】
ＩＳＤＢ−Ｔ方式では、一つのチャンネルの１３個のセグメントを最大３種類の異なる変調方式を持つグループで分割できるとされており、たとえば、１２セグメント放送は６４ＱＡＭ（Ｑｕａｄｒａｔｕｒｅ  Ａｍｐｌｉｔｕｄｅ  Ｍｏｄｕｌａｔｉｏｎ：直交振幅変調）方式を、また、１セグメント放送はＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ：差動４相位相変調）方式を用いて二次変調されている。１６ＱＡＭデコード部１５及びＱＰＳＫデコード部１６は、それぞれ１２セグメント放送と１セグメント放送の二次復調を行う。
【００２３】
入出力部１７は、電子機器２からの情報の取り込みと、電子機器２への情報の出力とを行うことができる双方向のインターフェースである。ここで、前者の情報を「入力情報」、後者の情報を「出力情報」と言うことにすると、入力情報は、電子機器２の表示能力（表示装置の解像度等）や受信チャンネル情報などであり、また、出力情報は、１６ＱＡＭデコード部１５の出力（二次復調後の１２セグメント放送信号）またはＱＰＳＫデコード部１６の出力（二次復調後の１セグメント放送信号）などである。
【００２４】
なお、ＩＳＤＢ−Ｔ方式では、二次変調後の１２セグメント放送信号及び１セグメント放送信号は、まだ、ＭＰＥＧ２やＭＰＥＧ４（あるいはＨ．２６４）で圧縮されており、これらを適切な復号方式でデコードしないと１２セグメント放送や１セグメント放送のベースバンド信号（元の映像信号や音声信号）が得られない。本実施の形態のデジタル放送信号受信装置１は、二次変調後の１２セグメント放送信号及び１セグメント放送信号を電子機器２に出力するものであるため、電子機器２は、その表示能力に応じて、ＭＰＥＧ２のデコード機能（１２セグメント放送を受信する場合）またはＭＰＥＧ４（あるいはＨ．２６４）のデコード機能（１セグメント放送を受信する場合）のいずれか一方の機能を搭載していなければならない。たとえば、低解像度のもの（ＰＤＡ等＝電子機器２）は１セグメント対応であるから、ＭＰＥＧ４（あるいはＨ．２６４）のデコード機能を搭載していなければならず、または、高解像度のもの（パソコンやカーナビ等＝電子機器２）は１２セグメント対応であるから、ＭＰＥＧ２のデコード機能を搭載していなければならない。
【００２５】
さて、本実施の形態のデジタル放送受信装置１のポイントは、汎用カード（図ではＳＤカード）の形状を有している点、１２セグメント放送と１セグメント放送の両方を受信できる点、及び、１２セグメント放送信号と１セグメント放送信号のいずれか一方を入出力部１７を介して電子機器２に出力できる点にある。
【００２６】
すなわち、本実施の形態のデジタル放送受信装置１は、電子機器２からの受信チャンネル設定情報に従って、受信部１１、直交復調部１２及びＦＦＴ部１３で当該受信チャンネルの１３個のセグメント（Ｔ１〜Ｔ１３）を取り出し、且つ、それらの１３個のセグメントのうち、Ｔ１〜Ｔ６及びＴ８〜Ｔ１３の１２セグメントとＴ７の１セグメントをＳＷ部１４で振り分けるが、この振り分けに際して、デジタル放送受信装置１は、接続相手の電子機器２の表示能力が１２セグメント放送に対応した高精細なもの（たとえば、パソコンやカーナビ等）であれば、Ｔ１〜Ｔ６及びＴ８〜Ｔ１３の１２セグメントを１６ＱＡＭデコード部１５に振り分ける一方、電子機器２の表示能力が１セグメント放送に対応した低精細なもの（たとえば、ＰＤＡ等）であれば、Ｔ７の１セグメントをＱＰＳＫデコード部１６に振り分けるように動作する。
【００２７】
これにより、本実施の形態のデジタル放送信号受信装置１は、接続相手の電子機器２の表示能力に応じて、１２セグメント放送信号と１セグメント放送信号のいずれか一方を選択的に出力することができ、その結果、１台のデジタル放送信号受信装置１で、二種類の放送パターン（１２セグメント放送／１セグメント放送）に対応することができるのである。
【００２８】
かかる効果を得るためには、デジタル放送信号受信装置１の接続相手（電子機器２）側にＰｎＰ（プラグアンドプレイ）機能が必要である。
図３は、ＰｎＰ機能の概念図である。この図はＰｎＰ機能を標準で搭載する汎用の基本プログラム（たとえば、ウィンドウズ（Ｒ）等）を例にしているが、これに限定されない。図において、電子機器２に実装された基本プログラム（ＯＳ）２０はＰｎＰマネージャ２１を含む。基本プログラム２０とアプリケーション部２２との間にはドライバ部２３が実装されており、このドライバ部２３はデジタル放送信号受信装置１を利用するための専用ドライバ２４を含む。ＰｎＰマネージャ２１はカードスロット３にＳＤカードが差し込まれたときに、当該カードとの間で情報交換を行い、カードの種類に対応したドライバがインストールされているか否かを判定する。インストールされていれば、そのドライバを介してＳＤカードとアプリケーション部２２との間のデータ送受を許容し、インストールされていなければ所要の処置（ドライバのインストール画面を表示する等）を講ずる。
【００２９】
ここで、ドライバ部２３にはデジタル放送信号受信装置１を利用するための専用ドライバ２４がインストール済であるので、カードスロット３にデジタル放送信号受信装置１を差し込むと、ＰｎＰマネージャ２１は、専用ドライバ２４を介してデジタル放送信号受信装置１とアプリケーション部２２との間のデータ送受を許容する。このとき、ＰｎＰマネージャ２１は、まず、ＯＳ２０のシステム情報を参照して電子機器２の表示能力に関する情報を調べる。具体的には、電子機器２が１２セグメント放送を表示できる程度の高精細な表示装置を有しているか、または、１セグメント放送を表示できる程度の低精細な表示装置を有しているかを調べて、その調査結果をデジタル放送信号受信装置１に通知する。
【００３０】
一方、デジタル放送信号受信装置１は、上記の通知を検出するための検出部１８と、その通知内容に応じてＳＷ部１４の切り換え動作を制御する制御部１９とを備えており、通知内容が「高精細表示（１２セグメント放送対応）」を示しているときは、ＳＷ部１４を介してＦＦＴ部１３と１６ＱＡＭデコード部１５とを接続し、デジタル放送信号受信装置１から電子機器２に対して１２セグメント放送信号を出力し、または、通知内容が「低精細表示（１セグメント放送対応）」を示しているときは、ＳＷ部１４を介してＦＦＴ部１３とＱＰＳＫデコード部１６とを接続し、デジタル放送信号受信装置１から電子機器２に対して１セグメント放送信号を出力する。
【００３１】
図４は、以上の動作をとりまとめたフローチャートを示す図である。この図において、デジタル放送信号受信装置１は、まず、カードスロット３への装着を検出（ステップＳ１１）すると、デジタル放送信号受信装置１のデバイス情報（地上波デジタル放送受信用カードであることを明示する情報）を電子機器２に出力すると共に、電子機器２のシステム情報（表示能力等の情報）を受け取る（ステップＳ１２）。
【００３２】
次に、電子機器２からの操作情報（テレビ受信モードへの切り換えやその受信チャンネルなどの情報）を検出するまで待機し（ステップＳ１３、ステップＳ１４）、操作情報を検出すると、電子機器２のシステム情報（表示能力）に適合したデコーダ部（１６ＱＡＭデコード部１５またはＱＰＳＫデコード部１６のいずれか一方）を選択するようにＳＷ部１４を制御（ステップＳ１５）して受信動作を開始（ステップＳ１６）した後、二次復調（１６ＱＡＭ復調１５またはＱＰＳＫ復調）後のテレビ放送信号を入出力部１７を介して電子機器２に出力する（ステップＳ１７）。
【００３３】
図５は、本実施の形態のデジタル放送受信装置１を、表示能力の異なる二つの電子機器２ａ、２ｂで使用する場合の例を示す図である。二つの電子機器２ａ、２ｂはいずれも前記の電子機器２に相当するが、一方の電子機器２ａの表示能力は高く、他方の電子機器２ｂの表示能力は低い。たとえば、一方の電子機器２ａはノート型パソコンやカーナビ等であり、また、他方の電子機器２ｂはＰＤＡや携帯電話機等である。
【００３４】
いま、デジタル放送受信装置１を一方の電子機器２ａに装着した場合は、以下の動作となる。すなわち、デジタル放送受信装置１は、電子機器２ａのシステム情報（表示能力＝高）を取得し、その表示能力に適合したデコーダ部（この場合は１６ＱＡＭデコード部１５）を選択するようにＳＷ部１４を制御して受信動作を開始した後、二次復調後のテレビ放送信号、つまり、１２セグメント放送信号を入出力部１７を介して電子機器２ａに出力する。
【００３５】
または、デジタル放送受信装置１を他方の電子機器２ｂに装着した場合は、以下の動作となる。すなわち、デジタル放送受信装置１は、電子機器２ｂのシステム情報（表示能力＝低）を取得し、その表示能力に適合したデコーダ部（この場合はＱＰＳＫデコード部１６）を選択するようにＳＷ部１４を制御して受信動作を開始した後、二次復調後のテレビ放送信号、つまり、１セグメント放送信号を入出力部１７を介して電子機器２ｂに出力する。
【００３６】
このように、本実施の形態のデジタル放送受信装置１は、接続相手の電子機器２の表示能力に対応して、１２セグメント放送受信カードまたは１セグメント放送受信カードのどちらでも動作するので、製造者側では１種類のカード（デジタル放送受信装置１）を作って市場に投入すればよく、製造コストを削減することができ、また、ユーザ側では１種類のカード（デジタル放送受信装置１）を接続相手ごとに使い分ければよく、購入コストの削減と持ち運びの煩わしさを無くすことができるという格別なメリットが得られる。
【００３７】
なお、以上の実施の形態では、デジタル放送受信装置１で二次復調までを行っており、ＭＰＥＧ２やＭＰＥＧ４（またはＨ．２６４）などのデコード機能を電子機器２の側に依存しているが、より汎用性を高めるためには、こうしたデコード機能もデジタル放送受信装置１に搭載してもよい。
【００３８】
図６は、その改良例を示す図であり、デジタル放送受信装置１は１６ＱＡＭデコード部１５と入出力部１７の間にＭＰＥＧ２デコード部３０を実装すると共に、ＱＰＳＫデコード部１６と入出力部１７の間にＭＰＥＧ４（またはＨ．２６４）デコード部３１を実装する点で前記の実施の形態と相違する。
【００３９】
この改良例によれば、デジタル放送受信装置１からベースバンド信号に復号された１２セグメント放送信号または１セグメント放送信号を出力できるため、電子機器２の側にデコード機能を実装する必要がない。したがって、デジタル放送受信装置１の汎用性をより高めることができるというメリットが得られる。
【００４０】
【発明の効果】
本発明によれば、接続相手の電子機器の表示能力が高ければ、その電子機器に対して一の放送信号を選択して出力し、表示能力が低ければ他の放送信号を選択して出力する。したがって、１台のデジタル放送受信装置で二つの放送（一の放送と他の放送）に兼用することができる。
本発明の好ましい態様によれば、地上波デジタル放送の家庭向け放送（１２セグメント放送）とモバイル端末向け放送（１セグメント放送）とに兼用できるデジタル放送受信装置を提供できる。
本発明の好ましい態様によれば、電子機器として、たとえば、ＭＰＥＧ等のデコード機能を有するパソコンやＰＤＡなどを使用することができ、デジタル放送受信装置に当該デコード機能を実装する必要がないので、デジタル放送受信装置の小型化、低コスト化を図ることができる。
本発明の好ましい態様によれば、デジタル放送受信装置にデコード機能までを実装するので、接続相手の電子機器の範囲を拡大でき、デジタル放送受信装置の汎用性を高めることができる。
【図面の簡単な説明】
【図１】実施の形態のデジタル放送受信装置の外観図である。
【図２】デジタル放送受信装置１のブロック図である。
【図３】ＰｎＰ（プラグアンドプレイ）機能の概念図である。
【図４】実施の形態の動作フローチャートを示す図である。
【図５】本実施の形態のデジタル放送受信装置１を、表示能力の異なる二つの電子機器２ａ、２ｂで使用する場合の例を示す図である。
【図６】実施の形態の改良例を示す図である。
【図７】地上波デジタル放送のサービス例とその受信概念図である。
【符号の説明】
１  デジタル放送受信装置
２  電子機器
１４  ＳＷ部（選択手段）
１５  １６ＱＡＭデコード部（第１の受信再生手段）
１６  ＱＰＳＫデコード部（第２の受信再生手段）
３０  ＭＰＥＧ２デコード部（第１の受信再生手段）
３１  ＭＰＥＧ４デコード部（第２の受信再生手段）
【図１】
2005020340.tif 000003
【図２】
2005020340.tif 000004
【図３】
2005020340.tif 000005
【図４】
2005020340.tif 000006
【図５】
2005020340.tif 000007
【図６】
2005020340.tif 000008
【図７】
2005020340.tif 000009